(57)【要約】【課題】リクライニング機能を有するシートを使用する使用者の顔の向きに合わせて表示画面の向きを変えて各種コンテンツを表示することが可能な表示端末およびこれを備えた表示端末システムを提供する。【解決手段】表示端末１０１は、リクライニング可能な座席１００に取り付けられており、各種情報を表示する表示部１０１ａと、座席１００のリクライニング角度情報を受信する受信部２００と、表示部１０１ａの傾きを検出する傾き検出部２０１と、表示部１０１ａの画面の縦横表示を切り替える切替部２０２と、を備えている。切替部２０２は、受信部２００において受信された座席１００のリクライニング角度情報と、傾き検出部２０１において検出された表示部１０１ａの傾きとに基づいて、表示部１０１ａに対して各種情報の縦横表示を切り替えて出力する。【選択図】図３
2015167010.tif 000002
【特許請求の範囲】
【請求項１】
リクライニング機能を有するシートに使用者が寝そべった状態で使用される表示端末であって、
各種情報を表示する表示部と、
前記シートのリクライニング角度情報を受信する受信部と、
前記表示部の傾きを検出する傾き検出部と、
前記表示部の画面の縦横表示を切り替える機能を有しており、前記受信部において受信された前記シートのリクライニング角度情報と、前記傾き検出部において検出された前記表示部の傾きとに基づいて、前記表示部に対して前記各種情報の縦横表示を切り替えて出力する切替部と、
を備えている表示端末。
【請求項２】
前記受信部は、前記シートに設けられた送信部から前記リクライニング角度情報を受信する、
請求項１に記載の表示端末。
【請求項３】
前記受信部は、前記シートに接続された外部機器から前記リクライニング角度情報を受信する、
請求項１に記載の表示端末。
【請求項４】
前記リクライニング角度情報が所定の閾値を超えた場合には、
前記切替部は、前記リクライニング角度情報に基づいて、前記各種情報の縦横表示を切り替えて出力する、
請求項１に記載の表示端末。
【請求項５】
所定の位置へ収納された収納状態にあるか否かを検出する収納検出部を、
さらに備え、
前記切替部は、前記収納検出部において前記収納状態にあることが検出された場合には、前記リクライニング角度情報と前記表示部の傾きに関係なく、前記各種情報の縦横表示の方向を一定にする、
請求項１に記載の表示端末。
【請求項６】
請求項１から５のいずれか１項に記載の表示端末と、
前記シートのリクライニング角度を検出する角度検出部と、
前記角度検出部において検出されたリクライニング角度情報を前記表示端末の前記受信部へ送信する送信部と、
を備えた表示端末システム。
【請求項７】
請求項１から５のいずれか１項に記載の表示端末と、
前記シートに対応付けされた表示装置と、
前記リクライニング角度が所定の閾値を超えた場合には、前記表示装置において表示される各種情報を、前記表示端末側に表示させる指示を前記表示装置に送信する送信部と、
を備えた表示端末システム。
【発明の詳細な説明】
【技術分野】
【０００１】
本開示は、リクライニング機能を有するシート（座席やベッド等）に対応付けされた表示端末であって、表示画面の縦横表示を切り替える表示端末およびこれを備えた表示端末システムに関する。
【背景技術】
【０００２】
特許文献１には、シートに設置された表示装置にリクライング角度を検出して供給する技術が開示されている。
特許文献２には、リクライニング角度を検出しその角度でもっとも視認の良い表示装置を選択する技術が開示されている。
特許文献３には、携帯電話機が回転の変位を検出し、縦横表示の切り替えをする技術が開示されている。
特許文献４には、車両姿勢を検出し無線等で接続されたスマートフォンの傾きを検出して表示パラメータを決定する技術が開示されている。
【先行技術文献】
【特許文献】
【０００３】
【特許文献１】特開平２−２２０５７６号公報
【特許文献２】特開２００９−９２９５０号公報
【特許文献３】特開２００４−２４０８７８号公報
【特許文献４】特開２０１２−２０８８１９号公報
【発明の概要】
【発明が解決しようとする課題】
【０００４】
しかしながら、上記従来の表示端末では、以下に示すような問題点を有している。
すなわち、上記公報に開示された表示端末では、使用者が表示端末を縦向きに持っていて、縦向きのコンテンツ表示を望んでいる場合でも、リクライニング等の角度によってはコンテンツが横向きに表示されてしまうという課題がある。
そこで本開示は、リクライニング機能を有するシート（座席やベッド等）に寝そべった使用者が表示端末を使用する際に、使用者の顔の向きに合った表示画面の向きで各種コンテンツを表示することが可能な表示端末およびこれを備えた表示端末システムを提供する。
【課題を解決するための手段】
【０００５】
本開示に係る表示端末は、リクライニング機能を有するシートに使用者が寝そべった状態で使用される表示端末であって、表示部と、受信部と、傾き検出部と、切替部と、を備えている。表示部は、各種情報を表示する。受信部は、シートのリクライニング角度情報を受信する。傾き検出部は、表示部の傾きを検出する。切替部は、表示部の画面の縦横表示を切り替える機能を有しており、受信部において受信されたシートのリクライニング角度情報と、傾き検出部において検出された表示部の傾きとに基づいて、表示部に対して各種情報の縦横表示を切り替えて出力する。
【発明の効果】
【０００６】
本開示の表示端末およびこれを備えた表示端末システムによれば、使用者が表示端末を使いながら、リクライニング可能なシートに寝そべっている場合でも、リクライニング角度情報と表示端末の表示部の傾き情報とに基づいて、表示画面の向きを切り替えることで、使用者の顔の向きに合わせて各種情報を表示することができる。
【図面の簡単な説明】
【０００７】
【図１】本開示の実施の形態１に係る表示端末と座席との位置関係を示す図。
【図２】実施の形態１に係る表示端末の座標軸の定義を示す図。
【図３】実施の形態１に係る表示端末およびこれを備えた表示端末システムの構成を示すブロック図。
【図４】実施の形態１に係る座席のリクライニング角度と表示部の画面の向きとの関係を示す図。
【図５】実施の形態１に係る表示端末の使用者が仰向けの状態を示す図。
【図６】実施の形態１に係る表示端末の使用者が仰向けの状態における表示端末の座標軸を示す図。
【図７】実施の形態１に係る表示端末の使用者が仰向けの状態における表示端末の傾き角度を示す図。
【図８】実施の形態１に係る表示端末の使用者が側臥の状態を示す図。
【図９】実施の形態１に係る表示端末の使用者が側臥の状態における表示端末の座標軸を示す図。
【図１０】実施の形態１に係る表示端末の使用者が側臥の状態における表示端末の傾き角度を示す図。
【図１１】実施の形態１に係る表示端末の使用者がうつぶせの状態を示す図。
【図１２】本開示の実施の形態２に係る表示端末と座席と据置型モニタとの位置関係を示す図。
【図１３】実施の形態２に係る表示端末の構成を示すブロック図。
【図１４】本開示の実施の形態３に係る表示端末の構成を示すブロック図。
【発明を実施するための形態】
【０００８】
以下、適宜図面を参照しながら、実施の形態を詳細に説明する。但し、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
なお、添付図面および以下の説明は、当業者が本開示を十分に理解するために、提供されるのであって、これらにより特許請求の範囲に記載の主題を限定することは意図されていない。
（実施の形態１）
以下、図１〜図１１を用いて、実施の形態１に係る表示端末１０１およびこれを備えた表示端末システムについて説明する。
【０００９】
図１は、座席（シートの一種）１００と、座席１００に対応付けした状態で設けられた表示端末１０１との関係を示す。座席１００には、送信機能を有する送信部１００ｂ（図３参照）が内蔵されている。そして、座席１００は、リクライニング機能を有しており、座席１００に対応付けして設けられた表示端末１０１に対して、リクライニング角度情報を送信する。
ここで、リクライニング機能とは、背もたれの部分の角度を調整可能なシート等に設けられた機能であって、主に、座席やベッド等に適用される。
また、リクライニング角度情報は、リクライニング角度を検出するために座席１００に設けられた角度検出センサ１００ａ（図１および図３参照）において取得される。そして、取得された角度情報は、座席１００に設けられた送信部１００ｂを介して表示端末１０１に送信される。
【００１０】
なお、座席１００のリクライニング情報を取得する角度検出センサとしては、例えば、加速度センサを用いることができる。加速度センサの取付位置としては、例えば、座席１００の背もたれ部の回動中心付近や、背もたれ部等であればよい。
表示端末１０１は、図２に示すように、各種情報（コンテンツ）を表示する表示部１０１ａを備えている。そして、表示端末１０１は、座席１００から送信されたリクライニング角度情報に基づいて、表示部１０１ａに表示される画面の縦横表示を切り替える。
なお、表示部１０１ａに表示される各種情報（コンテンツ）としては、例えば、映画やＴＶ、ビデオ、ゲーム等の映像情報、飛行ルートを示す地図情報、飛行情報を示す文字情報等が含まれる。
図２は、表示端末１０１の座標軸の定義を示す。
【００１１】
図２に示すように、表示端末１０１の短辺方向をｔ軸、長辺方向をｕ軸、表示端末１０１の表示画面に対向する方向をｖ軸と定義する。
一般に、スマートフォンなどの表示端末の画面を傾けることでコンテンツの縦横表示を切り替える制御を行うデバイスは、ヒステリシス特性をもたせた制御を行っている。
つまり、縦向きの表示端末１０１をｔ−ｕ平面上でπ／２回転させて横向きにするとき、例えば、β＝π／３回転させたときに、表示部１０１ａの表示画面に表示されるコンテンツを縦表示から横表示に切り替える。また、横向きの表示端末１０１を、ｔ−ｕ平面上で−π／２回転させて縦向きにするとき、例えば、−β＝−π／３回転させたときに、表示部１０１ａの表示画面に表示されたコンテンツを横表示から縦表示に切り替える。
本実施形態の表示端末１０１では、座席１００のリクライニング角度θがβ＝π／３よりも大きくなった場合であって、かつ使用者が座席１００に側臥（横向きに寝そべった）状態になった場合には、使用者の顔の向きがβ＝π／３よりも大きく傾く。そして、それに合わせて、使用者が持っている表示端末１０１も、ｔ−ｕ平面上でβ＝π／３よりも大きく傾けられる（すなわち角度φ＞β）。
【００１２】
［１−１．表示端末１０１の構成］
図３は、本実施形態に係る表示端末１０１およびこれを備えた表示端末システムの構成を示すブロック図である。
表示端末１０１は、表示部１０１ａと、受信部２００と、傾き検出部２０１と、切替部２０２と、を備えている。
表示部１０１ａは、切替部２０２から出力された各種情報（コンテンツ）を表示する。
受信部２００は、座席１００に設けられた送信部１００ｂから座席１００のリクライニング角度情報を受信し、切替部２０２に出力する。
傾き検出部２０１は、表示端末１０１（表示部１０１ａ）の傾きを検出する。そして、傾き検出部２０１は、検出した表示端末１０１の傾き情報を切替部２０２に出力する。
【００１３】
切替部２０２は、受信部２００から入力された座席１００のリクライニング角度情報と、傾き検出部２０１から入力された表示端末１０１の傾き情報とに基づいて、表示端末１０１の画面表示の向きを切り替えるか否かを決定する。具体的には、表示端末１０１の表示部１０１ａに表示されるコンテンツの向きを、縦から横に切り替えるか、横から縦に切り替えるか、または、切り替えないかを判定する。そして、切替部２０２は、判定結果に基づいて、必要であれば、表示端末１０１の画面の縦横表示を切り替えて、コンテンツを表示部１０１ａに出力する。
［１−２．表示端末１０１の詳細動作］
本実施形態では、座席１００のリクライニング角度θがコンテンツの縦横表示の切替角度よりも大きい場合に着目する。
【００１４】
本実施形態では、コンテンツの縦横表示の切替が発生するｔ−ｕ平面上における角度をβ＝π／３と仮定して、以下で説明する。また、実使用を考慮すると、座席１００のリクライニング角度θは、π／２までが一般的である。以上のことから、本実施形態では、リクライニング角度が、β≦θ≦π／２の範囲となる条件において説明する。
図４は、座席１００のリクライニング角度θと、座席１００に対応した表示端末１０１の表示部１０１ａの画面の向きとに基づいて、座席１００に寝そべった状態で表示端末１０１を使っている使用者の推測される体勢の一例である。
すなわち、リクライニング角度θと表示端末１０１の表示部１０１ａの表示画面の向きとの関係は、使用者が仰向け状態にあるか、側臥（横向きに寝そべった）状態にあるか、または、側臥またはうつぶせ状態のいずれかの状態にあるか、の３つのケースに分類できる。
【００１５】
そこで以降は、これら３つのケース、すなわち、使用者が仰向け状態のケース、使用者が側臥状態のケース、およびその他（側臥またはうつぶせ状態）のケースに分けて、表示端末１０１の詳細動作について以下で説明する。
［１−２−１．使用者が仰向け状態のケース］
図５は、角度θ（ただし、β≦θ≦π／２）だけリクライニングされた座席１００に寝そべっている使用者が仰向けになった状態で、表示端末１０１を角度α（ただし、０＜α）手前方向に傾けて使用している（表示端末１０１の画面が下向きになっている）状態を示している。
表示端末１０１では、受信部２００において、座席１００に設けられた送信部１００ｂからリクライニング角度情報（すなわち、θ）を受信し、切替部２０２に出力する。
【００１６】
傾き検出部２０１では、表示端末１０１の傾きを検出する。より具体的には、傾き検出部２０１では、重力加速度ｇの方向を検出し、これをｔ−ｕ平面上の重力加速度成分ｇ＿ｔｕと、ｖ軸上の重力加速度成分ｇ＿ｖとに分ける。
図６に、図５に対応するｔ−ｕ平面上の重力加速度成分ｇ＿ｔｕと、ｖ軸上の重力加速度成分ｇ＿ｖとを示す。
ここで、表示端末１０１のｔ−ｕ平面上の傾きがないため、ｔ−ｕ平面上の重力加速度成分ｇ＿ｔｕは、ｕ軸の負方向を向く。また、表示端末１０１の画面が水平面よりも下方向に向けられているため、ｖ軸上の重力加速度成分ｇ＿ｖは正方向を向く。
そして、傾き検出部２０１では、算出したｔ−ｕ平面上の重力加速度成分ｇ＿ｔｕと、ｖ軸上の重力加速度成分ｇ＿ｖを、切替部２０２に出力する。
【００１７】
切替部２０２では、受信部２００から入力されるリクライニング角度θがβ以上π／２以下の範囲にあり、かつ、傾き検出部２０１から入力されるｖ軸上の重力加速度成分ｇ＿ｖが正となる場合には、表示端末１０１の画面が水平面よりも下方向を向いていることを意味する。よって、この場合には、座席１００に寝そべっている使用者が仰向けになって表示端末１０１を使用していると推定される。
使用者が操作ボタン類が下になるように保持して縦向きに使用している場合には、切替部２０２は、以下のような表示制御を行う。
すなわち、切替部２０２は、図７に示すように、ｔ−ｕ平面上の重力加速度成分ｇ＿ｔｕのｔ軸を基点とした角度が３π／２から減少して３π／２−βを下回った場合、または、ｔ−ｕ平面上の重力加速度成分ｇ＿ｔｕの角度が３π／２から増加して３π／２＋βを上回った場合に、横向きに表示されるコンテンツを出力する。
【００１８】
また、使用者が、操作ボタン類が上になるように上下反対に縦向きに保持して使用している場合には、切替部２０２は、以下のような表示制御を行う。
すなわち、切替部２０２は、ｔ−ｕ平面上の重力加速度成分ｇ＿ｔｕのｔ軸を基点とした角度がπ／２のとき、ｔ−ｕ平面上の重力加速度成分ｇ＿ｔｕの角度がπ／２から減少してπ／２−βを下回った場合、またはｔ−ｕ平面上の重力加速度成分ｇ＿ｔｕの角度がπ／２から増加してπ／２＋βを上回った場合に、横向きに表示されるコンテンツを出力する。
また、操作ボタン類が右になるように右９０度に傾けて横向きに保持して使用している場合には、切替部２０２は、以下のような表示制御を行う。
すなわち、切替部２０２は、ｔ−ｕ平面上の重力加速度成分ｇ＿ｔｕのｔ軸を基点とした角度が０のとき、ｔ−ｕ平面上の重力加速度成分ｇ＿ｔｕの角度が０から減少して−βを下回った場合、または、ｔ−ｕ平面上の重力加速度成分ｇ＿ｔｕの角度が０から増加してβを上回った場合に、縦向きに表示されるコンテンツを出力する。
【００１９】
また、使用者が、操作ボタン類が左になるように左９０度に傾けて横向きに保持して使用している場合には、切替部２０２は、以下のような表示制御を行う。
すなわち、切替部２０２は、ｔ−ｕ平面上の重力加速度成分ｇ＿ｔｕのｔ軸を基点とした角度がπのとき、ｔ−ｕ平面上の重力加速度成分ｇ＿ｔｕの角度がπから減少してπ−βを下回った場合、または、ｔ−ｕ平面上の重力加速度成分ｇ＿ｔｕの角度がπから増加してπ＋βを上回った場合に、縦向きに表示されるコンテンツを出力する。
これにより、切替部２０２から出力された角度情報、すなわち、リクライニング角度θの値と、表示端末１０１の角度と、に応じて、表示部１０１ａに表示されるコンテンツが縦向きあるいは横向きになるように表示制御が行われる。
［１−２−２．使用者が側臥状態のケース］
ここでは、使用者が側臥状態にある場合の表示制御について説明する。ただし、前述した使用者が仰向け状態のケースと重複する部分については説明を省略する。
【００２０】
図８は、角度θ（ただしβ≦θ≦π／２）だけリクライニングされた座席１００において、使用者が、横向きに寝そべって表示端末１０１を角度φだけ横方向に傾けて使用している状態を示す。
図９は、傾き検出部２０１における、図８に対応するｔ−ｕ平面上の重力加速度成分ｇ＿ｔｕと、ｖ軸上の重力加速度成分ｇ＿ｖとを示す。
図９に示すように、ｔ−ｕ平面上の重力加速度成分ｇ＿ｔｕは、重力加速度ｇと等しい。また、表示端末１０１はｖ軸方向に傾かないため、ｖ軸上の重力加速度成分ｇ＿ｖは０である。
切替部２０２では、受信部２００から入力されるリクライニング角度θがβ以上π／２以下の範囲にあり、かつ傾き検出部２０１から入力されるｖ軸上の重力加速度成分ｇ＿ｖが０となった場合には、表示端末１０１の画面が水平面を向いていることを意味している。よって、この場合には、座席１００において、使用者が、横向きに寝そべって表示端末１０１を使用していると推定される。
【００２１】
また、切替部２０２では、受信部２００から入力されるリクライニング角度θがπ／３以上π／２未満の範囲にあり、かつ傾き検出部２０１から入力されるｖ軸上の重力加速度成分ｇ＿ｖが負となる場合には、表示端末１０１の画面が上向きであることを意味している。よって、この場合でも、使用者が、横向きに寝そべって表示端末１０１を使用していると推定される。
操作ボタン類が表示部１０１ａに対して下になるように、使用者が縦向きに表示端末１０１を保持して使用しているときは、図１０に示すように、切替部２０２は、以下のような表示制御を行う。
すなわち、切替部２０２は、表示端末１０１の回転（φの値の変化）によって、ｔ−ｕ平面上の重力加速度成分ｇ＿ｔｕの角度が（３π／２−θ）から減少して（３π／２−θ）−βを下回った場合、またはｔ−ｕ平面上の重力加速度成分ｇ＿ｔｕの角度が（３π／２−θ）から増加して（３π／２−θ）＋βを上回った場合に、横向きのコンテンツを出力する。
【００２２】
また、操作ボタン類が表示部１０１ａに対して上になるように、使用者が上下反対に縦向きに表示端末１０１を保持して使用しているときは、切替部２０２は、以下のような表示制御を行う。
すなわち、切替部２０２は、ｔ−ｕ平面上の重力加速度成分ｇ＿ｔｕの角度が（π／２−θ）のとき、ｔ−ｕ平面上の重力加速度成分ｇ＿ｔｕの角度が（π／２−θ）から減少して（π／２−θ）−βを下回った場合、または、ｔ−ｕ平面上の重力加速度成分ｇ＿ｔｕの角度が（π／２−θ）から増加して（π／２−θ）＋βを上回った場合に、横向きに表示されるコンテンツを出力する。
また、操作ボタン類が表示部１０１ａに対して右になるように、使用者が右９０度に傾けて横向きに表示端末１０１を保持して使用しているときは、切替部２０２は、以下のような表示制御を行う。
【００２３】
すなわち、切替部２０２は、ｔ−ｕ平面上の重力加速度成分ｇ＿ｔｕの角度が−θのとき、ｔ−ｕ平面上の重力加速度成分ｇ＿ｔｕの角度が−θから減少して−θ−βを下回った場合、または、ｔ−ｕ平面上の重力加速度成分ｇ＿ｔｕの角度がθから増加して−θ＋βを上回った場合に、縦向きに表示されるコンテンツを出力する。
また、操作ボタン類が表示部１０１ａに対して左になるように、使用者が左９０度に傾けて横向きに表示端末１０１を保持して使用しているときは、切替部２０２は、以下のような表示制御を行う。
すなわち、切替部２０２は、ｔ−ｕ平面上の重力加速度成分ｇ＿ｔｕの角度が（π−θ）のとき、ｔ−ｕ平面上の重力加速度成分ｇ＿ｔｕの角度が（π−θ）から減少して（π−θ）−βを下回った場合、または、ｔ−ｕ平面上の重力加速度成分ｇ＿ｔｕの角度が（π−θ）から増加して（π−θ）＋βを上回った場合に、縦向きに表示されるコンテンツを出力する。
【００２４】
［１−２−３．その他（側臥またはうつぶせ状態）のケース］
次に、その他（側臥またはうつぶせ状態）のケースについて説明する。
前述したケース以外のその他のケースとしては、座席１００のリクライニング角度θがπ／２である（またはπ／２にごく近い）場合であって、使用者は、うつぶせの状態になることができる。
このとき、ｖ軸上の重力加速度成分ｇ＿ｖが正となる（すなわち表示端末１０１の画面が上向きである）場合は、表示端末１０１の使用者が、図８のように側臥状態にあるか、図１１のようにうつぶせ状態にあるかを判別することができない。
そこで、このような場合は、表示端末１０１の切替部２０２は、使用者からの入力に基づいて、画面の表示方向を切り替えるようにすればよい。なお、使用者からの入力とは、例えば、表示端末１０１に備えられたボタンの押下や、タッチパネルのタッチ等である。
【００２５】
以上のように、本実施形態によれば、座席１００のリクライニング角度がコンテンツの縦横表示の切替角度よりも大きい場合においても、座席に寝そべった使用者の顔の向きに合った表示画面の向きになるように各種コンテンツを表示することができる。
なお、座席１００と表示端末１０１との対応付けは有線で行ってもよいし、無線で行ってもよい。座席１００と表示端末１０１の組み合わせが予め固定されていてもよいし、Bluetooth（登録商標）のようにペアリングによって、使用する度に、対応付けがなされてもよい。
（実施の形態２）
以下、本開示の実施の形態２に係る表示端末３０１およびこれを備えた表示端末システムについて、図１２および図１３を用いて説明する。
【００２６】
なお、上記実施形態１において説明した部材と同様の機能・構成を有する部材については、説明の便宜上、同じ符号を付し、その詳細な説明を省略する。
本実施形態の表示端末３０１を含む表示端末システムでは、図１２および図１３に示すように、座席１００に対応付けられた表示端末３０１に加え、さらに、座席１００または表示端末３０１に対応づけられた据置型モニタ１０２を構成に含む。このような構成は、一例として、航空機の機内エンターテインメントシステムが考えられる。
座席１００のリクライニング角度θがπ／２またはπ／２に近い値である場合（すなわち、座席１００がほぼフラットな状態）には、リクライニング角度θが小さい通常状態では快適に視聴できていた据置型モニタ１０２の画面が見にくくなるおそれがある。
そこで、本実施形態の表示端末３０１では、座席１００のリクライニング角度θがπ／２またはπ／２に近い値である場合、据置型モニタ１０２に出力している画面を表示端末３０１に出力する。
【００２７】
これにより使用者は、座席１００のリクライニングによって見にくくなった据置型モニタ１０２の映像等のコンテンツを、手元の表示端末３０１を用いて視聴することができる。
図１３に示すように、表示端末３０１は、上記実施形態１の構成に加えて、送信部２１０をさらに備えている。
送信部２１０は、座席１００のリクライニング角度θがπ／２またはπ／２に近い値となった場合、据置型モニタ１０２において表示される映像等のコンテンツを、表示端末３０１に対して送信するように、据置型モニタ１０２に対して指示を送信する。
受信部２００は、据置型モニタ１０２において表示されるコンテンツを受信して、表示部１０１ａに出力する。
【００２８】
切替部２０２は、据置型モニタ１０２において表示されるコンテンツと、受信部２００から入力された画面の縦横表示に関する指示情報とに基づいて、据置型モニタ１０２において表示されるコンテンツの出力先を、表示端末３０１へ切り替えて出力する。
本実施形態の表示端末３０１では、座席１００のリクライニング角度θがπ／２またはπ／２に近い値である場合には、据置型モニタ１０２のコンテンツを表示端末３０１側へ出力する。
これにより、リクライニング角度が大きい状態では、見難い据置型モニタ１０２に表示されていたコンテンツを、使用者の手元にある表示端末３０１において視聴することができる。
（実施の形態３）
以下、本開示の実施の形態３に係る表示端末４０１およびこれを備えた表示端末システムについて、図１４を用いて説明する。
【００２９】
なお、上記実施形態１，２において説明した部材と同様の機能・構成を有する部材については、説明の便宜上、同じ符号を付し、その詳細な説明を省略する。
本実施形態の表示端末４０１は、所定の収納箇所へ収納されるとともに、図１４に示すように、実施の形態１において説明した表示端末１０１の構成に、さらに収納検出部２２０を含んでいる。
収納検出部２２０は、表示端末４０１が所定の収納箇所に収納されているか否か（表示端末４０１の収納情報）を検出し、切替部２０２に出力する。
なお、表示端末４０１の収納箇所とは、例えば、クレードルやスタンド等が考えられる。
切替部２０２では、上述した座席１００のリクライニング角度情報および表示端末４０１の角度情報に加えて、収納検出部２２０から入力される表示端末４０１の収納情報に基づいて、表示端末４０１に表示される表示画面の向きを決定する。
【００３０】
具体的には、例えば、表示端末４０１が収納状態にある場合は、座席１００のリクライニング角度、および表示端末４０１の傾き情報に関わらず、常に、縦横の表示向きが固定された映像等のコンテンツが、表示部１０１ａに対して送信される。
ここで、縦横の表示向きが固定されるとは、例えば、表示端末４０１が収納箇所に縦向きに収納される場合には、縦向きに表示されるように設定されることが好ましい。一方、表示端末４０１が、収納箇所に横向きに収納される場合には、横向きに表示されるように設定されることが好ましい。
また、例えば、蓋付きのクレードルのように、収納状態において、使用者が表示端末４０１の表示部１０１ａの表示画面を視認できない場合には、表示端末４０１の表示部１０１ａの表示画面をオフ状態にしてもよい。
【００３１】
つまり、座席１００のリクライニング角度を変えた場合でも、収納箇所に収納されている表示端末４０１の表示部１０１ａの表示画面の向きが縦横で切り替えられないように制御すればよい。
［他の実施形態］
以上、本開示の実施形態１〜３について説明したが、本開示は上記実施形態に限定されるものではなく、開示の要旨を逸脱しない範囲で種々の変更が可能である。
（Ａ）
上記実施形態では、座席１００と表示端末１０１とが直接接続される構成を例として挙げて説明した。しかし、本開示はこれに限定されるものではない。
例えば、座席１００がサーバに接続され、サーバがリクライニング角度情報を座席１００から取得し、サーバと接続した表示端末１０１が、サーバからリクライニング角度情報を取得する構成でもよい。
【００３２】
つまり、座席１００と表示端末１０１とが、サーバ等を介して間接的に接続される構成であってもよい。
（Ｂ）
上記実施形態では、座席１００のリクライニング角度を検出する角度検出センサ１００ａ、および表示端末１０１の傾きを検出する傾き検出部２０１として、加速度センサを用いた場合を例に説明したが、本開示はこれに限定されるものではない。
例えば、傾き検出の実現手段として、加速度センサ以外の他のセンサを用いてもよいし、センサ以外の検出手段を用いてもよい。
（Ｃ）
上記実施形態では、説明の便宜上、ｖ軸上の重力加速度成分ｇ＿ｖが正、０、または、負であるかに基づいて、使用者の体勢を推測し、切替部２０２の制御方法を変更する例を挙げて説明した。しかし、本開示はこれに限定されるものではない。
例えば、ある正の閾値および負の閾値を用いて、切替部２０２の制御方法を変更してもよい。
【００３３】
（Ｄ）
上記実施形態では、説明の便宜上、表示端末１０１が表示部１０１ａの下に操作ボタンを有するとして、表示端末１０１の向きに関する説明したが、本開示はこれに限定されるものではない。
例えば、物理的な操作ボタンが無く、全ての操作を表示部１０１ａ上のタッチパネルで行う表示端末であってもよい。
（Ｅ）
上記実施形態２において、据置型モニタ１０２のコンテンツを表示端末３０１で視聴している際には、据置型モニタ１０２の画面をオフ状態にしてもよいし、据置型モニタ１０２にも同じ画面を表示してもよい。
【００３４】
（Ｆ）
上記実施形態２では、表示端末３０１がリクライニング角度θを受信し、据置型モニタ１０２のコンテンツを送信する指示を行う例を挙げて説明した。しかし、本開示はこれに限定されるものではない。
例えば、別の構成としては、据置型モニタ１０２がリクライニング角度θを受信し、据置型モニタ１０２が、据置型モニタ１０２に表示されるコンテンツを表示するように表示端末３０１に指示してもよい。
【００３５】
（Ｇ）
上記実施形態２では、表示端末３０１と据置型モニタ１０２とが直接接続される構成を例として挙げて説明した。しかし、本開示はこれに限定されるものではない。
例えば、据置型モニタ１０２がサーバに接続された構成においては、据置型モニタ１０２に表示されるコンテンツが表示端末３０１に対して送信されるように、表示端末３０１からサーバに対して指示を送信してもよい。
（Ｈ）
上記実施形態では、表示端末１０１は、傾き検出部２０１において検出された表示端末１０１の傾きをそのまま用いた例を挙げて説明した。しかし、本開示はこれに限定されるものではない。
例えば、航空機内での適用に際しては、航空機の加速度に基づいて表示端末１０１の傾きを補正して用いてもよい。
【００３６】
（Ｉ）
上記実施形態では、表示端末１０１は、座席１００に設けられた送信部１００ｂから受信したリクライニング角度情報をそのまま用いた例を挙げて説明した。しかし、本開示はこれに限定されるものではない。
例えば、航空機内での適用に際しては、航空機の迎角に基づいて座席１００のリクライニング角度を補正して用いてもよい。
また、航空機や自動車等の移動体内での適用に際しては、航空機であれば飛行角度情報、自動車であれば車両の角度情報を受信して、座席１００のリクライニング角度情報を補正してもよい。
（Ｊ）
上記実施形態では、表示端末１０１が座席１００の送信部１００ｂからリクライニングの角度情報を受信して、表示の向きを制御する例を挙げて説明した。しかし、本開示はこれに限定されるものではない。
例えば、表示端末自身が座席のリクライニング角度情報をすでに持っている場合には、外部からリクライニング情報を取得する必要はない。
例えば、表示端末を用いて座席やベッド等のリクライニング角度を調整するシステムが構築されている場合には、表示端末にはすでにリクライニング角度情報が取得されているためである。
【００３７】
（Ｋ）
上記実施形態では、航空機の機内エンターテインメントシステムに含まれる表示端末等に本開示の内容を適用した例を挙げて説明した。しかし、本開示はこれに限定されるものではない。
例えば、自動車やバス、新幹線、電車（寝台車等を含む）等の移動手段や、映画館、ホール等の施設に設置されたリクライニング可能な座席において使用される表示端末に対しても適用可能である。
【００３８】
また、本開示は、くつろいだ姿勢で着座できるリラックスチェアやマッサージチェアに設けられたコントローラ（表示端末）に対しても適用できる。
また、リクライニング機能を有するシートとしては、上述した座席だけでなく、背もたれの部分を転回可能なベッドも含まれる。よって、本開示の表示端末は、リクライニング機能付きのベッド上で用いられる表示端末に対しても適用できる。
つまり、上記実施形態では、使用者が寝そべっている「座席」を中心に説明した。しかし、本開示の適用範囲は「シート（座席やベッド等）」を含むシステムに限定されるもののではない。
例えば、マッサージチェア、リクライニング機能付のベッドなど、使用者が仰向けおよび側臥の体勢をとれて、かつ使用者がもたれかかる部分の傾斜を変更可能な設備または機器等に対応付けして設けられる表示端末に対して広く適用可能である。
【００３９】
（Ｌ）
上記実施形態では、本開示の内容を、ハードウェアとして構成した例を挙げて説明した。しかし、本開示はこれに限定されるものではない。
例えば、ハードウェアとの連携においてソフトウェアとして、本開示の内容を実現することも可能である。
（Ｍ）
上記実施形態では、表示端末１０１内に構成される各機能ブロックが、典型的には集積回路であるＬＳＩとして実現された例を挙げて説明した。しかし、本開示はこれに限定されるものではない。
例えば、各機能ブロックが個別に１チップ化されてもよいし、一部又は全てを含むように１チップ化されてもよい。
【００４０】
なお、ここでは、ＬＳＩとしたが、集積度の違いにより、ＩＣ、システムＬＳＩ、スーパーＬＳＩ、ウルトラＬＳＩと呼称されることもある。
また、集積回路化の手法はＬＳＩに限られるものではなく、専用回路または汎用プロセッサとして実現してもよい。
また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。
さらには、半導体技術の進歩または派生する別技術によって、ＬＳＩに置き換わる集積回路化の技術が登場すれば、当然、その技術を用いて機能ブロックの集積化を行ってもよい。この場合、例えば、バイオ技術の適用等が可能性としてありえる。
【産業上の利用可能性】
【００４１】
本開示の表示端末は、使用者が仰向けおよび側臥の体勢となり、かつ使用者がもたれかかる部分の傾斜を変更可能なシートの設備または機器等に対応付けされて設けられる表示端末として有用である。
【符号の説明】
【００４２】
１００      座席（シート）
１００ａ    角度検出センサ（角度検出部）
１００ｂ    送信部
１０１      表示端末
１０１ａ    表示部
１０２      据置型モニタ
２００      受信部
２０１      傾き検出部
２０２      切替部
２１０      送信部
２２０      収納検出部
３０１      表示端末
４０１      表示端末
【図１】
2015167010.tif 000003
【図２】
2015167010.tif 000004
【図３】
2015167010.tif 000005
【図４】
2015167010.tif 000006
【図５】
2015167010.tif 000007
【図６】
2015167010.tif 000008
【図７】
2015167010.tif 000009
【図８】
2015167010.tif 000010
【図９】
2015167010.tif 000011
【図１０】
2015167010.tif 000012
【図１１】
2015167010.tif 000013
【図１２】
2015167010.tif 000014
【図１３】
2015167010.tif 000015
【図１４】
2015167010.tif 000016